(57)【要約】  放射線検出器は、対向する端面を有するシンチレータと、シンチレータの端面に配列される複数の個別の光センサとを含み得る。１つの実施形態において、光センサは、端面の中心に配列されるのとは対照的に、端面の角部に、または端面の周縁部に沿って配列される。１つの実施形態において、複数の個別の光センサは、シンチレータの端面の表面積の最大で８０％を覆ってもよく、シンチレータの端面の中心を覆わなくてもよい。さらなる実施形態において、モノリシックシンチレータのアスペクト比は、エネルギー分解能を改善するように選択され得る。【選択図】図１
2019514008.tif 000002
【特許請求の範囲】
【請求項１】
第１の表面を有するシンチレータと、
個別の光センサを備える光センサシステムであって、前記個別の光センサは、前記個別の光センサの周縁部から前記第１の表面の一番近い周縁部までの最短距離が前記第１の表面の前記一番近い周縁部から前記第１の表面の中心点までの最短距離の最大で１０％になるように前記第１の表面上に配列されている、光センサシステムと、を備える放射線検出器であって、
前記光センサシステムが前記第１の表面の表面積の最大で８０％の累積面積を占めること、及び
前記光センサシステムが前記第１の表面の前記中心点から前記第１の表面の前記一番近い周縁部までの距離の１０％である前記第１の表面の前記中心点の前記距離内のいかなる領域をも占めないこと、のうちの少なくとも一つを含む、放射線検出器。
【請求項２】
前記個別の光センサの前記周縁部から前記第１の表面の前記一番近い周縁部までの前記最短距離が、前記第１の表面の前記一番近い周縁部から前記第１の表面の前記中心点までの前記最短距離の最大で８％、最大で６％、または最大で４％、または最大で２％である、請求項１に記載の放射線検出器。
【請求項３】
前記個別の光センサの前記周縁部から前記第１の表面の前記一番近い周縁部までの前記最短距離が、最大で３ｍｍ、または最大で２ｍｍ、または最大で１ｍｍである、請求項１または２に記載の放射線検出器。
【請求項４】
前記シンチレータは多面体シンチレータである、請求項１〜３のいずれか１項に記載の放射線検出器。
【請求項５】
前記第１の表面は角部を有し、前記個別の光センサは前記第１の表面の前記角部に配列されている、請求項１〜４のいずれか１項に記載の放射線検出器。
【請求項６】
前記光センサシステムは、前記第１の表面上に配列された複数の個別の光センサを含む、請求項１〜５のいずれか１項に記載の放射線検出器。
【請求項７】
前記第１の表面は複数の角部と前記角部を接続する周縁部とを有し、前記複数の個別の光センサは前記第１の表面の前記角部のみに配列されている、請求項６に記載の放射線検出器。
【請求項８】
第１の表面は複数の角部と前記角部を接続する周縁部とを有し、前記複数の個別の光センサは、前記第１の表面の前記角部の各々に前記第１の表面の周縁部に沿って配列されている、請求項６に記載の放射線検出器。
【請求項９】
前記シンチレータは前記第１の表面に対向する第２の表面を有し、
前記光センサシステムは、前記第１の表面上に配列された第１の複数の個別の光センサと、前記第２の表面上に配列された第２の複数の個別の光センサとを含み、
前記第１及び第２の複数の個別の光センサは、同一の配置で、それぞれ、前記第１及び第２の表面上に配列されている、請求項１〜８のいずれか１項に記載の放射線検出器。
【請求項１０】
前記第２の表面上に配列された前記個別の光センサの全アクティブエリアは、前記第２の表面の前記表面積の最大で８０％、または最大で６０％または最大で４０％、または最大で３０％、または最大で２５％である、請求項１〜９のいずれか１項に記載の放射線検出器。
【請求項１１】
前記シンチレータは、少なくとも１、または少なくとも１．２、または少なくとも１．４、または少なくとも１．６、または少なくとも１．８のアスペクト比を有し、前記アスペクト比は、前記第１の表面の平均幅ＷＳで割った前記シンチレータの長さＬと同一である、請求項１〜１０のいずれか１項に記載の放射線検出器。
【請求項１２】
前記シンチレータは、最大で７、または最大で６．５、または最大で６、または最大で５．５のアスペクト比を有し、前記アスペクト比は、前記第１の表面の前記平均幅ＷＳで割った前記シンチレータの前記長さＬと同一である、請求項１〜１１のいずれか１項に記載の放射線検出器。
【請求項１３】
前記シンチレータは、１．２〜７、または１．４〜６．５、または１．６〜６、または１．８〜５．５の範囲のアスペクト比を有し、前記アスペクト比は、前記第１の表面の前記幅ＷＳで割った前記シンチレータの前記長さＬと同一である、請求項１〜１２のいずれか１項に記載の放射線検出器。
【請求項１４】
光窓が、前記シンチレータと前記光センサシステムとの間に配列されている、請求項１〜１３のいずれか１項に記載の放射線検出器。
【請求項１５】
請求項１〜１４のいずれか１項に記載の放射線検出器と、
前記光センサに電気的に結合された分析デバイスと、を備える放射線検出装置であって、
前記放射線検出装置は、安全検知装置、検層検出装置、ガンマ線分光装置、同位体同定装置、単一陽電子放射コンピュータ断層撮影（ＳＰＥＣＴ）分析装置、陽電子放射断層撮影（ＰＥＴ）分析装置、及びＸ線撮像装置のうちの１つを含む、放射線検出装置。
【発明の詳細な説明】
【技術分野】
【０００１】
本開示は、シンチレータ上における光センサの配置、ならびにこのようなシンチレータ及び光センサを放射線検出器において使用する方法に関する。
【背景技術】
【０００２】
シンチレータによる検出器は、原子核物理学における研究、石油探査、電界分光、容器及び手荷物の走査、及び医療診断を含む種々の用途で使用される。シンチレータによる検出器のシンチレータ材料が電離放射線にさらされると、シンチレータ材料は入射する放射線のエネルギーを捕捉し、発光し、光子の形状捕捉したエネルギーを放射する。シンチレータによる検出器の光センサは、放射された光子を検出する。放射線検出装置は多くの異なる理由のためにパルスを分析することができる。継続的な改善が望まれる。
【図面の簡単な説明】
【０００３】
実施形態は添付の図面において例として示されるが、これらには限定されない。
【０００４】
【図１】本明細書に記載されたある特定の実施形態によるシンチレータの単一面上に配列された複数の光センサの図示を含む。
【図２】本明細書に記載されたある特定の実施形態によるシンチレータの対向面に配列された複数の光センサの図示を含む。
【図３】本明細書に記載されたある特定の実施形態によるシンチレータと複数の光センサとの間に配列された光窓の図示を含む。
【図４】本明細書に記載されたある特定の実施形態による角部構成に配置された複数の光センサの図示を含む。
【図５】本明細書に記載されたある特定の実施形態による縁部構成に配置された複数の光センサの図示を含む。
【図６】本明細書に記載された比較例による中心構成に配置された複数の光センサの図示を含む。
【図７】本明細書に記載された１つの実施形態による分析デバイスの図示を含む。
【図８】パルス高さ対光センサによって占められる累積表面積を描出する実施例２のグラフを含む。
【図９】エネルギー分解能対光センサによって占められる累積表面積を描出する実施例２のグラフを含む。
【図１０】光収集効率及びＲＴｒａｎｓｆｅｒ対シンチレータのアスペクト比を描出する実施例３のグラフを含む。
【図１１】パルス高さ対シンチレータのアスペクト比を描出する実施例３のグラフを含む。
【０００５】
当業者は、図面の要素が簡略化され明確に示されており、必ずしも縮尺どおりに示される必要がないことを理解している。例えば、図面のいくつかの要素の寸法は、本発明の実施形態の理解を深めるために他の要素に関して誇張されている場合がある。
【発明を実施するための形態】
【０００６】
以下の記載は図面と併用して、本明細書に記載された教示の理解を助けるために提供される。以下の論議は、教示の具体的な実装及び実施形態に焦点を当てる。この焦点は教示の説明を助けるためのものであるが、教示の範囲または適用性を限定するものとして理解されるべきではない。
【０００７】
本明細書で使用される場合、特に明記しない限り、「エネルギー分解能」という用語（パルス高さ分解能（ＰＨＲ）とも称される）は、エネルギーの関数としてソースのアクティビティを表現するスペクトルを記録することによって測定されるパラメータを指し、エネルギー（ピーク最大値の横座標）で割り１００％を乗じたピークの「半値全幅」（ＦＷＨＭ）を意味するこのスペクトルによりＰＨＲをパーセンテージとして得られ、ＰＨＲが低いほどスペクトル分解能は良くなる。
【０００８】
本明細書で使用される場合、「ｃｏｍｐｒｉｓｅｓ」、「ｃｏｍｐｒｉｓｉｎｇ」、「ｉｎｃｌｕｄｅｓ」、「ｉｎｃｌｕｄｉｎｇ」、「ｈａｓ」、「ｈａｖｉｎｇ」などの用語、またはそれらの他の任意の変形は、非排他的包括を含むことを意図する。例えば、特徴のリストを構成するプロセス、方法、項目、または装置は、必ずしもこれらの特徴のみに限定される必要はないが、明確には列挙されていない、あるいはこのようなプロセス、方法、項目、または装置に固有な他の特徴を含んでもよい。さらに、それとは反対に明確に表示されない限り、「ｏｒ」は非排他的なｏｒを示すが、排他的なｏｒは示さない。例えば、ＡまたはＢという条件は、以下のうちのいずれか１つによって満たされる。すなわち、Ａは真であり（または存在し）Ｂは偽である（または存在しない）、Ａは偽であり（または存在せず）Ｂは真である（または存在する）、及びＡとＢの両方が真である（または存在する）。
【０００９】
「ａ」または「ａｎ」は、本明細書に記載された要素や成分を説明するために用いられる。これは便宜のためのみに用いられ、発明の範囲の一般的な意味を与える。この記述は１つまたは少なくとも１つを含むように読まれなければならず、明らかにそれ以外を意味していない限りは、単数形は複数形も含み、また複数形は単数形も含む。
【００１０】
特に定義されない限り、本明細書で使用されるすべての技術的及び科学的用語は、この発明が属する分野の当業者によって一般的に理解されるものと同じ意味を有する。材料、方法、及び実施例は例として示されるのみであって、本発明はこれらに限定されるものではない。本明細書に記載されていない範囲で、特定の材料及び処理行為に関する多くの詳細は従来のものであり、シンチレーション及び放射線の検出の分野内の教科書や他のソースで見出され得る。
【００１１】
発明者らは、光収集効率及びエネルギー分解能を改善するためにシンチレータに適用される光センサの配置を開発した。半導体による光センサなどの光センサは非常に小さく、配列内で個別に読み取られ得る。このため、このような光センサは、表面の全域を覆うことなく、シンチレータの表面に種々のパターンで配置され得る。下記により詳細に述べるように、シンチレータ表面上への光センサの配置は、シンチレータ表面の中心ではなく、シンチレータ表面の各角部に、またはシンチレータ表面の周縁部に沿って光センサを設置することを含み得る。さらに、シンチレータのアスペクト比は、エネルギー分解能を改善するために選択され得る。
【００１２】
図１〜３を参照して、放射線検出器１０は、シンチレータ２０と、シンチレータ表面２２上に配列された光センサシステム３０とを含み得る。図１に示される実施形態において、光センサシステム３０はシンチレータ表面２２上にのみ設置される。１つの実施形態において、光センサもシンチレータ２０の側面２３上に配列され得る。
【００１３】
図１に示される実施形態において、光センサ３０は、シンチレータ表面２２の全域を覆わない。１つの実施形態において、光センサシステム３０は、最大で８０％、または最大で６０％、または最大で４０％、または最大で３０％、または最大で２５％、シンチレータ表面２２の表面積の累積面積を占めることができる。さらに、光センサシステム３０は、少なくとも１％、または少なくとも５％、または少なくとも１０％、または少なくとも１５％、または少なくとも２０％、シンチレータ表面２２の全面積の累積面積を占めることができる。さらにまた、光センサシステム３０は、シンチレータ表面の全面積の１〜８０％、または１０〜４０％などの、上記の最小及び最大値のうちのいずれかの範囲内の累積面積を占めることができる。例えば、１５〜３０％、またはさらに言えば２０〜２５％の全被覆率は、ＮａＩ（Ｔｌ）シンチレータの１００％の被覆率とほぼ同じエネルギー分解能を達成し得る。図１及び２に示される実施形態において、光センサシステム３０は、シンチレータ表面２２の中心点からシンチレータ表面２２の一番近い周縁部までの距離の１０％であるシンチレータ表面２２の中心点の距離内のいかなる領域をも占めない。１つの実施形態において、累積面積は、光センサシステムによって占められる全面積または光センサシステムの全アクティブエリアを表し得る。
【００１４】
１つの実施形態において、光センサシステム３０は、各々が表面２２に個々に配置された個別の光センサ３１または複数の個別の光センサ３１を含み得る。個別の光センサ３１は、半導体による光センサなどの固体光センサを含み得る。半導体による光センサは、例えば、Ｓｉ、ＳｉＣ、ＧａＮ、ＩｎＰ、ＣｄＴｅのうちの少なくとも１つ、またはそれらの任意の組み合わせを含み得る。特定の実施形態において、個別の光センサ３１はシリコンによる光センサを含み得る。
【００１５】
１つの実施形態において、図３に示されるように、光窓１１はシンチレータ２０と光センサ３１との間に配列され得る。光窓１１は、シンチレータ２０が発したシンチレーション光を透過し得る。特定の実施形態において、光窓１１は、高分子フィルム、鉱物ガラス、サファイヤ、アルミニウム酸窒化物、スピネル、またはそれらの任意の組み合わせを含み得る。さらに特定の実施形態において、光窓１１は３００ミクロン以下の厚さを有する極薄鉱物ガラスを含み得る。
【００１６】
さらに、光結合材層が、光センサ３１、シンチレータ２０、存在すれば光窓１１、またはそれらの任意の組み合わせ上に配列され得る。１つの実施形態において、光結合材は、シンチレータ２０と光センサ３１との間に配列された、潤滑油、樹脂、接着剤、またはそれらの任意の組み合わせを含み得る。光結合材も、シンチレータ２０が発したシンチレーション光を透過し得る。
【００１７】
１つの実施形態において、光センサシステム３０はシンチレータ表面２２の角部に配列された個別の光センサ３１を含み得る。図１に示される実施形態において、光センサシステム３０は角部構成の各角部に配列された個別の光センサを含む。図５に示される実施形態において、光センサシステム３０は、縁部構成において、シンチレータ表面２２の各角部にシンチレータ表面２２の各周縁部に沿って配列された個別の光センサ３１を含む。縁部構成は、各周縁部に広がる単一の個別の光センサ３１、または各周縁部に広がる並んで配置された複数の個別の光センサを含み得る。さらに、図１〜５は、長方形または正方形の形状を有する個別の光センサ３１を示す。別の実施形態において（図示せず）、個別の光センサ３１は、一般的にはシンチレータ表面２２の角部付近の領域に、またはシンチレータ表面２２の周縁部に沿って収まる代替形状を有し得る。例えば、個別の光センサ３１は、その角部がシンチレータ表面２２の角部上に配列されるような三角形状を有し得る。
【００１８】
１つの実施形態において、光センサシステム３０は、個別の光センサ３１の周縁部がシンチレータ表面２２の一番近い周縁部と面一となるように配置された個別の光センサ３１を含み得る。個別の光センサ３１の周縁部を、シンチレータ表面２２の一番近い周縁部にできるだけ近くになるように有することが有利である場合がある一方、面一の縁部を達成することは特定の適用において可能ではことがある。別の実施形態において、個別の光センサ３１は個別の光センサ３１の周縁部がシンチレータ表面２２の一番近い周縁部から分離するように配置され得る。１つの実施形態において、個別の光センサ３１の周縁部からシンチレータ表面２２の一番近い周縁部までの最短距離は、最長で３ｍｍ、または最長で２ｍｍ、または最長で１ｍｍである。面一でない場合、個別の光センサ３１の周縁部からシンチレータ表面２２の一番近い周縁部までの最短距離は少なくとも１ミクロンであってもよい。
【００１９】
さらに、個別の光センサ３１の周縁部からシンチレータ表面２２の一番近い周縁部までの最短距離は、シンチレータ表面２２の一番近い周縁部からシンチレータ表面２２の中心点までの最短距離の最大で１０％、または最大で８％、または最大で６％、または最大で４％、または最大で２％であり得る。面一でない場合、個別の光センサ３１の周縁部からシンチレータ表面２２の一番近い周縁部までの最短距離は、シンチレータ表面２２の一番近い周縁部からシンチレータ２０の中心点までの最短距離の少なくとも０．１％であってもよい。
【００２０】
１つの実施形態において、シンチレータ表面２２は多角形、弓形形状、不規則な形などを有し得る。１つの実施形態において、シンチレータ表面２２は少なくとも３つの角部、または少なくとも４つの角部などの複数の角部を有する多角形を有する。１つの実施形態において、多角形は最大で１０つの角部、または最大で９つの角部、または最大で８つの角部を有する。さらに、特定の実施形態において、多角形は長方形の形状を含み、図１及び２に示される実施形態において、シンチレータ表面２２は、正方形の形状を有する。別の実施形態において、シンチレータ表面２２は楕円形または円形を有する。本明細書の読後、当業者はシンチレータ表面２２に関して種々の異なる形状を思い付くであろう。
【００２１】
１つの実施形態において、シンチレータ表面２２は、少なくとも５００ｍｍ２、または少なくとも７００ｍｍ２、または少なくとも９００ｍｍ２の面積を有し得る。１つの実施形態において、表面２２は、最大で４００００ｍｍ２、または最大で３００００ｍｍ２、または最大で２００００ｍｍ２の面積を有し得る。例えば、表面２２は、５００〜４００００ｍｍ２、または７００〜３００００ｍｍ２、または９００〜２００００ｍｍ２などの上記の最小及び最大値のうちの任意の範囲における面積を有し得る。
【００２２】
１つの実施形態において、シンチレータ表面２２は、シンチレータ表面２２の中心点からシンチレータ表面２２の各周縁部までの最短距離の平均を取ることによって計算される平均幅ＷＳを有し得る。円形または楕円形などの弓形形状については、平均幅ＷＳは、主軸に沿った直径と短軸に沿った直径の平均を取ることによって計算される。１つの実施形態において、シンチレータ表面２２は、少なくとも１０ｍｍ、または少なくとも１５ｍｍ、または少なくとも２０ｍｍの平均幅ＷＳを有する。別の実施形態において、表面２２は、最大で６００ｍｍ、または最大で５００ｍｍ、または最大で４００ｍｍの平均幅ＷＳを有する。さらにまた、表面２２は、１５〜６００ｍｍ、または２０〜５００、または２０〜４００ｍｍなどの上記の最小及び最大値のうちの任意の範囲において平均幅ＷＳを有し得る。
【００２３】
１つの実施形態において、光センサシステム３０は、シンチレータ２０の１つ以上の表面に配列され得る。１つの実施形態において、光センサシステム３０は、各々がその上に配列される個別の光センサ３１を有する、対向するシンチレータ表面に配列され得る。図２に示される実施形態において、個別の光センサ３１は、対向するシンチレータ表面２２及び２４にのみ配列される。シンチレータ表面２４、及びシンチレータ表面２４に配列される個別の光センサ３１は、シンチレータ表面２２、及びシンチレータ表面２２に配列される個別の光センサ３１についての上述の特徴のうち１つ以上を有し得る。シンチレータ表面２２と２４の大きさと形状は同一であっても異なってもよい。例えば、円すい台、または角すい台などのシンチレータ表面２２と２４の形状は同一であり得るがそれらの大きさは異なる。さらに、シンチレータ表面２２と２４上の個別の光センサ３１の配置は同一であっても異なってもよい。
【００２４】
シンチレータ２０は、シンチレータ表面２２からシンチレータ表面２４まで測定された長さＬを有し得る。１つの実施形態において、長さＬはシンチレータ表面２２の平均幅ＷＳより大きいまたは同一である。１つの実施形態において、長さＬは少なくとも１０ｍｍ、または少なくとも２０ｍｍ、または少なくとも３０ｍｍになり得る。別の実施形態において、長さＬは最大で５０００ｍｍ、または最大で４０００ｍｍ、または最大で３０００ｍｍになり得る。さらにまた、長さＬは、１０〜５０００ｍｍ、または２０〜４０００ｍｍ、または３０〜３０００ｍｍなどの上記の最小及び最大値のうちの任意の範囲にあり得る。しかしながら、シンチレータは上述の値の範囲内で長さＬを有し得る一方で、明細書の読後、当業者は、本明細書で論議された光センサシステム３０がどのようにして上述の値より短いまたは長い長さＬを有するシンチレータの表面に適用され得るかを理解するであろう。
【００２５】
１つの実施形態において、シンチレータ２０は、少なくとも２５ｍｍ×２５ｍｍ×２５ｍｍ、または少なくとも５０ｍｍ×５０ｍｍ×５０ｍｍの寸法を有する立方体であり得る。１つの実施形態において、シンチレータ２０は、少なくとも２５ｍｍ×２５ｍｍ×５０ｍｍ、または少なくとも５０ｍｍ×５０ｍｍ×１００ｍｍ、または少なくとも５０ｍｍ×１００ｍｍ×４００ｍｍ、または少なくとも１００ｍｍ×１００ｍｍ×４００ｍｍの寸法を有する直方体であり得る。１つの実施形態において、シンチレータ２０は、少なくとも２５ｍｍ、または少なくとも５０ｍｍ、または少なくとも７５ｍｍ、または少なくとも１００ｍｍ、または少なくとも１２５ｍｍの直径を有し、かつ少なくとも２５ｍｍ、または少なくとも５０ｍｍ、または少なくとも７５ｍｍ、または少なくとも１００ｍｍ、または少なくとも１２５ｍｍの長さを有する円柱であり得る。特定の実施形態において、円柱の長さＬは円柱のシンチレータ表面２２の平均幅ＷＳと同一である。さらなる１つの実施形態において、円柱の長さＬは、円柱のシンチレータ表面２２の直径より大きく、さらに言えば、少なくとも円柱の直径の２倍である。
【００２６】
１つの実施形態において、本開示において先に論じたように、エネルギー分解能における重要な改善は、適切なアスペクト比を有するシンチレータを選択することによって達成され得る。本明細書で使用される場合、シンチレータ２０のアスペクト比は、シンチレータ表面２２の平均幅ＷＳで割ったシンチレータ２０の長さＬと同一である。１つの実施形態において、シンチレータ２０のアスペクト比が約１から増加するにつれて、所望されるエネルギー分解能は減少する。例えば、１つの実施形態において、シンチレータ２０のアスペクト比は、少なくとも１、または少なくとも１．２、または少なくとも１．４、または少なくとも１．６、または少なくとも１．８である。１つの実施形態において、アスペクト比が高すぎる場合、所望されないエネルギー分解能は増加を開始し得る。例えば、１つの実施形態において、シンチレータ２０のアスペクト比は、最大で７あってもよく、または最大で６．５、または最大で６、または最大で５．５であってもよい。さらにまた、シンチレータ２０のアスペクト比は、１．２〜７、または１．４〜６．５、または１．６〜６、または１．８〜５．５などの上記の最小及び最大値のうちのいずれかの範囲内であり得る。
【００２７】
上記の範囲内のアスペクト比を有するシンチレータを含む放射線検出器は、これらの範囲外のアスペクト比を有するシンチレータを含む放射線検出器と比較して、エネルギー分解能の減少を示し得る。例えば、最大で６．７５％のエネルギー分解能に関して、シンチレータ２０は１〜７のアスペクト比を有し得、最大で６．６５％のエネルギー分解能に関して、シンチレータ２０は１．４〜６．２のアスペクト比を有し得、最大で６．５５のエネルギー分解能に関して、シンチレータ２０は２〜５．５のアスペクト比を有し得る。明細書の読後、当業者は、アスペクト比と、エネルギー分解能における相対的な改善が、使用されたシンチレータと個別の光センサ３１の特定の組み合わせに依存し得ることを理解するであろう。
【００２８】
さらに、シンチレータ２０は、光センサ３０がシンチレータ２０に配列され得る限り、特定の適用に特に適しているシンチレータ材料を含み得る。１つの実施形態において、シンチレータ材料は無機シンチレータ材料である。例えば、無機シンチレータ材料は、ヨウ化ナトリウム、ヨウ化セシウム、ゲルマニウム酸ビスマス、臭化ランタン、臭化セリウム、塩化ランタン、ルテチウムオキシオルトケイ酸塩、ルテチウムイットリウムオキシオルトケイ酸塩、セシウムリチウム臭化ランタン、セシウムリチウムランタンブロモ塩化物、セシウムリチウムイットリウム塩化物、またはそれらの任意の組み合わせを含み得る。別の実施形態において、シンチレータは有機シンチレータ材料である。例えば、有機シンチレータ材料は、プラスチックのシンチレータ、アントラセン、スチルベン、またはそれらの任意の組み合わせを含み得る。１つの実施形態において、シンチレータ２０はモノリシックシンチレータになり得る。
【００２９】
本明細書に記載された放射線検出器の利点は、改善された性能の達成を含む一方、光センサは、シンチレータの表面の全域より小さい面積を累積的に占める。例えば、放射線検出器１０は、改善されたシングル−エンド光収集効率とデュアル−エンド光収集効率を有し得る。本明細書で使用される場合、「シングル−エンド」という用語は、少なくとも放射線検出器１０の性能パラメータについて使用されるとき、シンチレータの１つの端面から得られる長さを指し、「デュアル−エンド」という用語は、少なくとも放射線検出器の性能パラメータについて使用されるとき、シンチレータの２つの対向する端面から得られる長さを指す。
【００３０】
図７に示されるように、放射線検出器１０は光センサ３０に電気的に結合された分析デバイスをさらに含み得る。分析デバイス２６２はハードウェアを含み得、少なくとも部分的にソフトウェア、ファームウェア、またはそれらの組み合わせにおいて実装され得る。１つの実施形態において、ハードウェアは、フィールド・プログラマブル・ゲート・アレイ（ＦＰＧＡ）内、特定用途向け集積回路（ＡＳＩＣ）内、別の集積回路内、またはプリント基板上に複数の回路を含み得るか、または別の適切なデバイスを含み得るか、またはそれらの任意の組み合わせを含み得る。分析デバイス２６２はまた、データが分析され、ストレージに書き出され、読み取られ、別の構成要素またはデバイスに伝達され、別の適切な行為がデータ上で実行され、またはそれらの任意の組み合わせが行われる前に一時的にデータを保存するためにバッファも含み得る。
【００３１】
図７に示される実施形態において、分析デバイス２６２は、光センサシステム３０に結合された増幅器４２２を含み得、その結果、光センサシステム３０からの電子パルスは分析の前に増幅され得る。増幅器４２２は、電子パルスをデジタル化することが可能なアナログ・デジタル変換器（ＡＤＣ）４２４に結合され得る。ＡＤＣ４２４は、パルス形状識別（ＰＳＤ）モジュール４４２に結合され得る。特定の実施形態において、ＰＳＤモジュール４４２はＦＰＧＡまたはＡＳＩＣを含み得る。特定の実施形態において、ＰＳＤモジュール４４２は、電子パルスの形状を分析して、電子パルスが中性子またはガンマ線に対応するかどうかを判定する回路を含み得る。さらに特定の実施形態において、電子パルスが中性子またはガンマ線に対応するかどうかを判定するために、ＰＳＤモジュール４４２は、ルックアップテーブルによって、電子パルス、電子パルスから得られる情報、及び温度センサからの温度を使用し得る。ルックアップテーブルはＦＰＧＡまたはＡＳＩＣの一部となり得るか、あるいは集積回路、ディスクドライブ、または適切な永続メモリデバイスなどの別のデバイスの一部となってもよい。
【００３２】
分析デバイス２６２は、中性子計数管４６２とガンマ線計数管４６４とをさらに備え得る。ＰＳＤモジュール４４２が、電子パルスが中性子に対応すると判定すると、ＰＳＤモジュール４４２は中性子計数管４６２をインクリメントする。ＰＳＤモジュール４４２が、電子パルスがガンマ線に対応すると判定すると、ＰＳＤモジュール４４２はガンマ線計数管４６４をインクリメントする。図６がデュアルモード放射線検出器を示す一方、他の実施形態において、放射線検出器はシングルモード放射線検出器になり得、分析器は中性子計数管４６２またはガンマ線計数管４６４のうちの１つのみを含み得、あるいは放射線検出器は、パルスのエネルギーに基づいて特定の材料を識別するために使用されてもよい。
【００３３】
先述のシンチレータのいずれかは種々の適用で使用され得る。例示的な適用は、安全適用のための放射線検出器、油検層検出器、ガンマ線分光、同位体同定、単一陽電子放射コンピュータ断層撮影（ＳＰＥＣＴ）または陽電子放射断層撮影（ＰＥＴ）分析、及びＸ線撮像を含む。安全適用のための放射線検出器は、入口モニタ放射線検出器と、携帯用放射線検出器と、パーソナル放射線検出器とを含み得る。
【００３４】
多くの異なる態様及び実施形態が可能である。これらの態様及び実施形態のうちのいくつかは本明細書に記載されている。本明細書の読後、当業者は、これらの態様及び実施形態は単に例であって本発明の範囲を限定しないことを理解するであろう。さらに、当業者は、アナログ回路を含むいくつかの実施形態がデジタル回路を使用する同様な実装になり得、またその逆も可能であることを理解するであろう。実施形態は、以下に列挙される実施形態のうちのいずれかの１以上に準じてもよい。
【００３５】
実施形態１．第１の表面を有するシンチレータと、
個別の光センサを備える光センサシステムであって、個別の光センサは、個別の光センサの周縁部から第１の表面の一番近い周縁部までの最短距離が第１の表面の一番近い周縁部から第１の表面の中心点までの最短距離の最大で１０％になるように第１の表面上に配列されている、光センサシステムと、を備える放射線検出器であって、
光センサシステムが第１の表面の表面積の最大で８０％の累積面積を占めること、及び
光センサシステムが第１の表面の中心点から第１の表面の一番近い周縁部までの距離の１０％である第１の表面の中心点の距離内のいかなる領域をも占めないこと、のうちの少なくとも一つを含む、放射線検出器。
【００３６】
実施形態２．個別の光センサの周縁部から第１の表面の一番近い周縁部までの最短距離が、第１の表面の一番近い周縁部から第１の表面の中心点までの最短距離の最大で８％、最大で６％、または最大で４％、または最大で２％である、実施形態１に記載の放射線検出器。
【００３７】
実施形態３．個別の光センサの周縁部から第１の表面の一番近い周縁部までの最短距離が、最大で３ｍｍ、または最大で２ｍｍ、または最大で１ｍｍである、実施形態１または２に記載の放射線検出器。
【００３８】
実施形態４．シンチレータは多面体シンチレータである、実施形態１〜３のいずれか１つに記載の放射線検出器。
【００３９】
実施形態５．少なくとも１つの端面は、長方形を含む多角形を有する、実施形態１〜４のいずれか１つに記載の放射線検出器。
【００４０】
実施形態６．多角形は正方形である、実施形態５に記載の放射線検出器。
【００４１】
実施形態７．シンチレータは立方体である、実施形態１〜６のいずれか１つに記載の放射線検出器。
【００４２】
実施形態８．立方体は、少なくとも２５ｍｍ×２５ｍｍ×２５ｍｍ、または少なくとも５０ｍｍ×５０ｍｍ×５０ｍｍの寸法を有する、実施形態７に記載の放射線検出器。
【００４３】
実施形態９．シンチレータは立方体である、実施形態１〜６のいずれか１つに記載の放射線検出器。
【００４４】
実施形態１０．立方体は、少なくとも２５ｍｍ×２５ｍｍ×５０ｍｍ、または少なくとも５０ｍｍ×５０ｍｍ×１００ｍｍ、または少なくとも５０ｍｍ×１００ｍｍ×４００ｍｍ、または少なくとも１００ｍｍ×１００ｍｍ×４００ｍｍの幅×高さ×長さの寸法を有する、実施形態８に記載の放射線検出器。
【００４５】
実施形態１１．第１の表面は角部を有し、個別の光センサは第１の表面の角部に配列されている、実施形態１〜１０のいずれか１つに記載の放射線検出器。
【００４６】
実施形態１２．光センサシステムは、第１の表面上に配列された複数の個別の光センサを含む、実施形態１〜１１のいずれか１つに記載の放射線検出器。
【００４７】
実施形態１３．第１の表面は、複数の角部と、角部を接続する周縁部とを有し、複数の個別の光センサは第１の表面の角部のみに配列されている、実施形態１２に記載の放射線検出器。
【００４８】
実施形態１４．第１の表面は、複数の角部と、角部を接続する周縁部とを有し、複数の個別の光センサは、第１の表面の角部の各々に第１の表面の周縁部に沿って配列されている、実施形態１２に記載の放射線検出器。
【００４９】
実施形態１５．複数の個別の光センサは、第１の表面の角部と周縁部に沿ってのみ配列されている、実施形態１４に記載の放射線検出器。
【００５０】
実施形態１６．光センサシステムは、第１の表面上に配列された複数の個別の光センサのみを含む、実施形態１〜１５のいずれか１つに記載の放射線検出器。
【００５１】
実施形態１７．シンチレータは第１の表面に対向する第２の表面を有し、
光センサシステムは、第１の表面上に配列された第１の複数の個別の光センサと、第２の表面上に配列された第２の複数の個別の光センサとを含む、実施形態１〜１５のいずれか１つに記載の放射線検出器。
【００５２】
実施形態１８．第１及び第２の複数の個別の光センサは、同一の配置で、それぞれ、第１及び第２の表面上に配列されている、実施形態１７に記載の放射線検出器。
【００５３】
実施形態１９．第１の表面上に配列された個別の光センサの全アクティブエリアは、第１の表面の表面積の少なくとも１％、または少なくとも５％、または少なくとも１０％、または少なくとも１５％、または少なくとも２０％である、実施形態１〜１８のいずれか１つに記載の放射線検出器。
【００５４】
実施形態２０．第２の表面上に配列された個別の光センサの全アクティブエリアは、第２の表面の表面積の最大で８０％、または最大で６０％または最大で４０％、または最大で３０％、または最大で２５％である、実施形態１〜１９のいずれか１つに記載の放射線検出器。
【００５５】
実施形態２１．第２の表面上に配列された個別の光センサの全アクティブエリアは、第２の表面の表面積の１〜８０％、または１０〜４０％、または１５〜３０％、または２０〜２５％の範囲にある、実施形態１〜２０のいずれか１つに記載の放射線検出器。
【００５６】
実施形態２２．第１及び第２の各表面上の個別の光センサの全アクティブエリアは同一である、実施形態１９〜２１のいずれか１つに記載の放射線検出器。
【００５７】
実施形態２３．個別の光センサは半導体による光電子増倍器を含む、実施形態１〜２２のいずれか１つに記載の放射線検出器。
【００５８】
実施形態２４．個別の光センサはシリコンによる光電子増倍器を含む、実施形態１〜２３のいずれか１つに記載の放射線検出器。
【００５９】
実施形態２５．シンチレータは無機シンチレータ材料を含む、実施形態１〜２４のいずれか１つに記載の放射線検出器。
【００６０】
実施形態２６．無機シンチレータ材料は、ヨウ化ナトリウム、ヨウ化セシウム、ゲルマニウム酸ビスマス、臭化ランタン、臭化セリウム、塩化ランタン、ルテチウムオキシオルトケイ酸塩、ルテチウムイットリウムオキシオルトケイ酸塩、セシウムリチウム臭化ランタン、セシウムリチウムランタンブロモ塩化物、セシウムリチウムイットリウム塩化物、またはそれらの任意の組み合わせを含む、実施形態２５に記載の放射線検出器。
【００６１】
実施形態２７．シンチレータは有機シンチレータ材料を含む、実施形態１〜２４の放射線検出器。
【００６２】
実施形態２８．有機シンチレータ材料はアントラセン、スチルベン、またはプラスチックである、実施形態２７に記載の放射線検出器。
【００６３】
実施形態２９．光センサの少なくとも１つはシンチレータの側面に配列されている、実施形態１〜２８のいずれか１つに記載の放射線検出器。
【００６４】
実施形態３０．シンチレータは、少なくとも１、または少なくとも１．２、または少なくとも１．４、または少なくとも１．６、または少なくとも１．８のアスペクト比を有し、アスペクト比は、第１の表面の平均幅ＷＳで割ったシンチレータの長さＬと同一である、実施形態１〜２９のいずれか１つに記載の放射線検出器。
【００６５】
実施形態３１．シンチレータは、最大で７、または最大で６．５、または最大で６、または最大で５．５のアスペクト比を有し、アスペクト比は、第１の表面の平均幅ＷＳで割ったシンチレータの長さＬと同一である、実施形態１〜３０のいずれか１つに記載の放射線検出器。
【００６６】
実施形態３２．シンチレータは、１．２〜７、または１．４〜６．５、または１．６〜６、または１．８〜５．５の範囲のアスペクト比を有し、アスペクト比は、第１の表面の平均幅ＷＳで割ったシンチレータの長さＬと同一である、実施形態１〜３１のいずれか１つに記載の放射線検出器。
【００６７】
実施形態３３．光窓が、シンチレータと光センサシステムとの間に配列されている、実施形態１〜３２のいずれか１つに記載の放射線検出器。
【００６８】
実施形態３４．光窓は、高分子フィルム、鉱物ガラス、サファイヤ、アルミニウム酸窒化物、スピネル、またはそれらの任意の組み合わせを含み、実施形態３３に記載の放射線検出器。
【００６９】
実施形態３５．光窓は鉱物ガラスを含み、３００ミクロン以下の厚さを有する、実施形態３４に記載の放射線検出器。
【００７０】
実施形態３６．実施形態１〜３５のいずれか１つに記載の放射線検出器と、
光センサに電気的に結合された分析デバイスと、を備える、放射線検出装置。
【００７１】
実施形態３７．放射線検出装置は、安全検知装置、検層検出装置、ガンマ線分光装置、同位体同定装置、単一陽電子放射コンピュータ断層撮影（ＳＰＥＣＴ）分析装置、陽電子放射断層撮影（ＰＥＴ）分析装置、及びＸ線撮像装置のうちの１つを含む、実施形態３６に記載の放射線検出装置。
【実施例】
【００７２】
実施例は例として示されるのみであって、添付の請求項に定義されるように本発明の範囲を限定するものではない。
【００７３】
実施例１
シンチレータ表面における個別の光センサの配置に基づいて検出器性能の変化を判定するためにシミュレーションを実施した。シミュレーションは、４インチ（約１０．２ｃｍ）×４インチ（約１０．２ｃｍ）×１６インチ（約４０．６ｃｍ）の寸法を有する立方体のＮａＩシンチレータと、角部構成（図４を参照）、縁部構成（図５を参照）、及び中心構成（図６を参照）の立方体のＮａＩシンチレータの１つまたは複数の対向する表面に設置される複数の個別の光センサに基づく。
【００７４】
検出器性能の改善をインパルス応答関数（ＩＲＦ）の幅によって定量化した。図示のために、「インパルス」はシンチレータ内で同数の光子を生成するシミュレーションにおけるパルスの収集である。すなわち、一団の光パルスが０％のエネルギー分解能によって生成される。シンチレーション光が検出器の内部の回りに伝播するため、光センサによって各パルスから収集された光量は、形状が無作為の光子パスに課せる吸収と消滅における変化によって変更するであろう。このため、たとえエネルギー分解能が０％で開始するとしても、シンチレータの異なる部分からの光収集の変化はエネルギー分解能を悪化させることになる。この悪化はＩＲＦに取り込まれ、これはゼロでないＦＷＨＭを有する。ＩＲＦ  ＦＷＨＭが狭いとき、検出器性能は改善される。本明細書では「ＲＴｒａｎｓｆｅｒ」と称されるＩＲＦ  ＦＷＨＭに基づくエネルギー分解能は、以下の公式、すなわち、
【００７５】
【数１】
2019514008.tif 000003
【００７６】
ここで最頻値の平均値は収集された光子の数における分布を示す、を使用して計算される。検出器性能は、ＲＴｒａｎｓｆｅｒが減少するにつれて、改善すると考えられる。
【００７７】
シングル−エンド構成及びＲＴｒａｎｓｆｅｒの結果は表１に挙げられ、デュアル−エンド構成及びＲＴｒａｎｓｆｅｒの結果は表２に挙げられる。表１及び２に関して、「ＳｉＰＭ」という用語は６×６ｍｍ２のアクティブエリアを有するシリコン光電子増倍器を指し、「ＰＭＴ」という用語は３．５インチの光電子増倍管を指す。
【００７８】
【表１】
2019514008.tif 000004
【００７９】
【表２】
2019514008.tif 000005
【００８０】
シミュレーションの結果によって示されるように、中心構成は、３つの構成のうち最も好ましくないように見える。しかしながら、光センサが角部構成にあるとき、さらに言えば光センサが縁部構成にあるとき、ＲＴｒａｎｓｆｅは減少し、これは、光子が中心よりむしろ、シンチレータの表面の角部及び縁部でより良好に検出され得ることを示している。
【００８１】
実施例２
データは、Ｃｓ−１３７ガンマ線ソースから６６２ｋｅＶのガンマ線にさらされた立方体ＮａＩ（Ｔｌ）シンチレータ上で取られた。立方体ＮａＩ（Ｔｌ）シンチレータは、それぞれ、２インチ（約５ｃｍ）×２インチ（約５ｃｍ）×２インチ（約５ｃｍ）の寸法を有した。光センサ（ＳｉＰＭ、モデル：ＳｅｎｓＬ６００３５ｃａｔ２７．５Ｖバイアス）を、角部構成（図４を参照）か中心構成（図６を参照）のどちらかである立方体ＮａＩ（Ｔｌ）シンチレータのそれぞれの表面に設置した。一連の立方体ＮａＩ（Ｔｌ）シンチレータを、構成ごとに、光センサによる表面の累積被覆率が徐々に増すことによって試験した。全表面積のパーセントで表された被覆された累積表面積及び各立方体ＮａＩ（Ｔｌ）シンチレータのパルス高さを図８のグラフに示し、全表面積のパーセントで表された被覆された累積表面積及び各シンチレータのエネルギー分解能を図９のグラフに示す。図８のグラフは、所定量の表面被覆率に関して、ＳｉＰＭｓが中心構成に対して角部構成であるとき収集された光の量（パルス高さに比例する）がより大きいことを示す。図９のグラフは、エネルギー分解能もまた、ＳｉＰＭｓが中心構成に対して角部構成であるときより良好であることを示す。
【００８２】
実施例３
シンチレータのアスペクト比に基づいて改善された検出器性能を判定するためにシミュレーションを実行した。シミュレーションは、異なるアスペクト比を有するが、各々が約６．５ｃｍ２の量を有する立方体のＮａＩシンチレータに基づいた。各々が６×６ｍｍ２のアクティブエリアを有する複数のシリコン光電子増倍管（ＳｉＰＭ）を、角部構成における立方体のシンチレータの端面のうちの１つに設置した（図４を参照）。各光センサのアクティブエリアは６×６ｍｍ２であった。
【００８３】
検出器性能を、実施例１に示されるようにＲＴｒａｎｓｆｅｒを使用して定量化した。
【００８４】
異なるアスペクト比及びＲＴｒａｎｓｆｅｒの結果を下記の表３に示す。
【００８５】
【表３】
2019514008.tif 000006
【００８６】
シミュレーションの結果によって示されるように、ＲＴｒａｎｓｆｅｒは一般的にアスペクト比が４に近づくにつれて減少する。さらに、ＲＴｒａｎｓｆｅｒは、アスペクト比が１．５〜６の範囲にあるとき１．５％より小さく、アスペクト比が２〜５の範囲にあるとき１％より小さい。さらに、図１０及び１１は種々の性能パラメータ対アスペクト比の図面を含む。図１０において、光収集効率（％）は左軸上にあって円を含む線によって表現され、ＲＴｒａｎｓｆｅｒ（％）は右軸上にあって正方形を含む線によって表現され、水平軸上のアスペクト比が左から右に増加するとき各々が計測される。光収集効率は、光センサに到達しパルス高さに比例する少量の光子を指す。図１１において、６６２ｋｅＶ（％）のＰＨＲは左軸上にあって、水平軸上のアスペクト比が左から右に増加するとき測定される。光収集効率は、パーセンテージが増加するにつれて改善する一方、形状の不均一性及びエネルギー分解能は、パーセンテージが減少するにつれて改善する。このため、図１０及び１１に示されるように、性能は、アスペクト比が１〜７の範囲、またはさらに言えば１．５〜６の範囲などで４に近づくにつれて増加する。
【００８７】
概要において上述されたアクティビティまたは実施例のすべてが要求されるというわけではなく、特定のアクティビティの一部が要求されなくてもよく、以上の他に１つ以上のさらなるアクティビティが実行されてもよいことに留意されたい。さらにまた、アクティビティが列挙される順番は、必ずしもそれらが実行される順番ではない。
【００８８】
利益、他の利点、及び問題に対する解決策が、特定の実施形態について上述された。しかしながら、利益、利点、問題に対する解決策、及び任意の利益、利点、または解決策を生じさせ得る、またはより顕著であってもよい任意の特徴（複数を含む）は、いずれかまたはすべての請求項の重要な、要求された、または必須の特徴として解釈されるべきではない。
【００８９】
本明細書に記載された実施形態の仕様や図示は、種々の実施形態の構成の一般的な理解を与えることを意図する。仕様や図示は、本明細書に記載された構造または方法を使用する装置及びシステムの要素や特徴のすべての包括的で総合的な記述として役立つことは意図されていない。明確にするために別の実施形態の観点から本明細書に記載された所定の特徴も、単一の実施形態と組み合わせて提供されてもよい。逆に、簡略して表現するために単一の実施形態の観点から記述された種々の特徴もまた、別々にまたは組み合わされて提供されてもよい。さらに、範囲の中で述べられた値についての言及はその範囲内で各値及びすべての値を含む。他の多くの実施形態は、この明細書の読後のみ、当業者にとって自明となり得る。構造的な代替物、論理的な代替物、または別の変化が本開示の範囲から逸脱することなくなされ得るように、他の実施形態が使用され、開示から生じてもよい。したがって、本開示は限定的というよりは例示的であるとみなされるべきである。
【図１】
2019514008.tif 000007
【図２】
2019514008.tif 000008
【図３】
2019514008.tif 000009
【図４】
2019514008.tif 000010
【図５】
2019514008.tif 000011
【図６】
2019514008.tif 000012
【図７】
2019514008.tif 000013
【図８】
2019514008.tif 000014
【図９】
2019514008.tif 000015
【図１０】
2019514008.tif 000016
【図１１】
2019514008.tif 000017
【国際調査報告】
2019514008.tif 000018
2019514008.tif 000019
2019514008.tif 000020